(57)【要約】【課題】  鍋やトッププレートを傷つけたり割れたりする虞のない、取扱いの容易な電磁調理器用汚れ防止マットを提供する。【解決手段】  汚れ防止マット２１はガラス繊維よりなる織布２３の両面にシリコーンコート２４ａ及び２４ｂを施したものを円形に切り出したものであり、その外周縁は全周にわたってバイアステープ２６によって縁取られている。このように形成された汚れ防止マット２１はクッション性を有するため、その使用によって電磁調理器のトッププレレート１７や鍋１９を傷つける虞がなく、割れる虞も無いので利用者にとって取扱いの容易な汚れ防止マットとなる。又、バイアステープ２６によって外周縁が縁取られているため、吹きこぼれ液４３をせき止めると共に、端部からの劣化が最小に抑えられ、耐久性の高い汚れ防止マットとなる。【選択図】      図４
2008010409.tif 000002
【特許請求の範囲】
【請求項１】
電磁調理器のトッププレートと前記電磁調理器によって加熱される鍋の底面との間に挟んで使用される電磁調理器用汚れ防止マットであって、
耐熱性を有する繊維より構成され、磁力線の透過性を有するシート状の素材と、
前記素材の少なくとも一方面の全面に形成され、非透水性を有するコート材とを備えた、電磁調理器用汚れ防止マット。
【請求項２】
前記コート材は前記素材の両面に形成される、請求項１記載の汚れ防止マット。
【請求項３】
前記コート材が形成された面には、その外周縁に沿うように全周にわたって取り付けられた、堰状の突起体を備えた、請求項１又は請求項２記載の電磁調理器用汚れ防止マット。
【請求項４】
前記突起体は、前記素材の外周端の全周を覆うように形成された断面コの字状の縁取り体の一部を形成する、請求項３記載の電磁調理器用汚れ防止マット。
【請求項５】
前記縁取り体は、綿素材のバイアステープを含む、請求項４記載の電磁調理器用汚れ防止マット。
【請求項６】
前記縁取り体は、ガラス繊維の外面全面にシリコーンコートが施されたバイアステープを含む、請求項４記載の電磁調理器用汚れ防止マット。
【請求項７】
前記素材はガラス繊維を含む、請求項１から請求項６のいずれかに記載の電磁調理器用汚れ防止マット。
【請求項８】
前記コート材はシリコーンコート材を含む、請求項１から請求項７のいずれかに記載の電磁調理器用汚れ防止マット。
【請求項９】
前記素材は織布を含む、請求項１から請求項８のいずれかに記載の電磁調理器用汚れ防止マット。
【発明の詳細な説明】
【技術分野】
【０００１】
この発明は電磁調理器用汚れ防止マットに関し、特に加熱すべき鍋の底面の汚れや吹きこぼれ等を電磁調理器のトッププレートに付着させない電磁調理器用汚れ防止マットに関するものである。
【背景技術】
【０００２】
電磁調理器を用いて調理を行う際には、鍋が電磁調理器のトッププレート上に直接置かれた状態で使用されるため、鍋の底の汚れや料理のハネ等がトッププレート上に付着するという問題があった。
【０００３】
上記のような事態を防止するために、電磁調理器のトッププレートと鍋の底との間に挟んで使用する汚れ防止マットが用いられている。
【０００４】
図５は、通常の電磁調理器を組み込んだ調理用加熱装置上で、汚れ防止マットを使用している状態の概略形状を示した平面図であり、図６は図５で示したＶＩ−ＶＩラインの断面図であって、電磁調理器の構成を模式的に示した図である。
【０００５】
これらの図を参照して、調理用加熱装置６１のトッププレート１７には、手前の左右に電磁調理器１３ａ，電磁調理器１３ｂが設置されている。又、トッププレート１７の後方には、ニクロム線がトッププレート１７の下面に組み込まれた発熱線加熱器６３が設置されている。更にトッププレート１７の奥側には吸・排気パネル６５が配置されている。
【０００６】
図においては電磁調理器１３ｂに対して磁力透過性及び耐熱性を有する、耐熱ガラスよりなる汚れ防止マット５１が配置され、更にその上に加熱すべき鍋１９が配置された状態が示されている。そこで図６を参照して、電磁調理器の概略構造及びその加熱原理について簡単に説明する。
【０００７】
トッププレート１７の下方には電磁調理器１３ｂを構成する磁力発生コイル１４が配置されている。この磁力発生コイル１４に図示しないスイッチをオンにすることによって電流が流れると、磁力発生コイル１４の周りに二点鎖線で示されているような磁力線１５が発生する。この磁力線１５はトッププレート１７及び汚れ防止マット５１を貫通し、更にトッププレート１７上に載置されている鍋１９の底をも貫通してループ状に形成されることになる。鍋１９は所定の導電性を有する材料によって構成されているため、この磁力線１５の発生に伴ってその鍋底にうず電流１６が発生する。このようにして発生したうず電流１６が鍋１９の鍋底の電気抵抗によって熱に代わり、鍋底の温度が上昇することになる。これによって鍋１９内に収納された料理物が火を介することなく加熱されることになる。
【０００８】
磁力発生コイル１４の通電を停止すると磁力線１５は消滅し、これによって鍋１９の鍋底に発生していたうず電流１６も消滅する。その結果、鍋１９の鍋底の温度は降下し、加熱状態が終了することになる。
【０００９】
汚れ防止マット５１は、その使用により、鍋１９の底面に汚れが付着していたり、料理のハネが飛んだ際にも、トッププレート１７に直接付着することが無く美麗な状態が保たれ、掃除等の手間をかけずに済む効果を奏するものである。
【発明の開示】
【発明が解決しようとする課題】
【００１０】
図７は、図６で示した汚れ防止マット５１の概略形状を示した拡大斜視図であり、図８は、図７で示したＶＩＩＩ−ＶＩＩＩラインの拡大断面図である。
【００１１】
これらの図を参照して、汚れ防止マット５１は、耐熱ガラス板５３を円形に切り出した構成となっている。このためコストが上昇し、又汚れ防止マット５１の使用の際に、トッププレート１７や鍋１９を傷つける虞があるばかりでなく、鍋１９との接触等によってそれ自身が割れる虞もあるため、取扱いに注意を払う必要がある。
【００１２】
図９は、図６の “Ｙ”部分に対応した拡大図であり、鍋１９の内容物４１が吹きこぼれて、吹きこぼれ液４３が流出している状態を示したものである。
【００１３】
図を参照して、従来の汚れ防止マット５１は耐熱ガラス板５３を円形に切り出したものであるため、表面は完全に平坦な形状であり、吹きこぼれ液４３は一定量以上となると、汚れ防止マット５１から更にトッププレート１７まで伝ってしまい、その結果トッププレート１７が汚れてしまう。
【００１４】
この発明は上記のような課題を解決するためになされたもので、使用によって電磁調理器のトッププレートや鍋を傷つける虞がなく、又割れる虞もない、取扱いが容易な電磁調理器用汚れ防止マットを提供することを目的とする。
【課題を解決するための手段】
【００１５】
上記の目的を達成するために、請求項１記載の発明は、電磁調理器のトッププレートと電磁調理器によって加熱される鍋の底面との間に挟んで使用される電磁調理器用汚れ防止マットであって、耐熱性を有する繊維より構成され、磁力線の透過性を有するシート状の素材と、素材の少なくとも一方面の全面に形成され、非透水性を有するコート材とを備えたものである。
【００１６】
このように構成すると、クッション性のある汚れ防止マットになると共に、少なくとも一方面は、非透水性を有する面となる。
【００１７】
請求項２記載の発明は、請求項１記載の発明の構成において、コート材は素材の両面に形成されるものである。
【００１８】
このように構成すると、コート材によって素材が挟まれた状態となる。
【００１９】
請求項３記載の発明は、請求項１又は請求項２のいずれかに記載の発明の構成において、コート材が形成された面には、その外周縁に沿うように全周にわたって取付けられた、堰状の突起体を備えたものである。
【００２０】
このように構成すると、コート材が形成された面は、完全な平面では無く、突起体によって外周縁が全周にわたって盛り上がった形状となる。
【００２１】
請求項４記載の発明は、請求項３記載の発明の構成において、突起体は、素材の外周端の全周を覆うように形成された断面コの字状の縁取り体の一部を形成するものである。
【００２２】
このように構成すると、素材の端部は外面に露出せず、コート材と素材との境目も、縁取り体によって隙間無く覆われる。
【００２３】
請求項５記載の発明は、請求項４記載の発明の構成において、縁取り体は、綿素材のバイアステープを含むものである。
【００２４】
請求項６記載の発明は、請求項４記載の発明の構成において、縁取り体は、ガラス繊維の外面全面にシリコーンコートが施されたバイアステープを含むものである。
【００２５】
請求項７記載の発明は、請求項１から請求項６のいずれかに記載の発明の構成において、素材はガラス繊維を含むものである。
【００２６】
請求項８記載の発明は、請求項１から請求項７のいずれかに記載の発明の構成において、コート材は、シリコーンコート材を含むものである。
【００２７】
このように構成すると、汚れ防止マットの表面は防滑性、耐熱性、撥水性等の特性を持ったものとなる。
【００２８】
請求項９記載の発明は、請求項１から請求項８のいずれかに記載の発明の構成において、素材は織布を含むものである。
【発明の効果】
【００２９】
以上説明したように、請求項１記載の発明は、クッション性のある汚れ防止マットとなるため、使用の際に電磁調理器のトッププレートや鍋を傷つける虞や、割れる虞の無い、取扱いが容易な汚れ防止マットとなる。又、少なくとも１面は非透水性を有する面となるため、使用時に吹きこぼれ等による液体が汚れ防止マットを透過して電磁調理器のトッププレートが汚れることが防止される。
【００３０】
請求項２記載の発明は、請求項１記載の発明の効果に加えて、コート材によって素材が挟まれた構成の汚れ防止マットとなるため、使用面を選ぶ必要がない。
【００３１】
請求項３記載の発明は、請求項１又は請求項２記載の発明の効果に加えて、コート材が形成された面は、完全な平面では無く、突起体によって外周縁が全周にわたって盛り上がった形状となる。そのため、この面を上に、すなわち鍋の底面と接するようにして使用すると、吹きこぼれ等により汚れ防止マットにこぼれた液体の少なくとも一部は、突起体によってせき止められ、電磁調理器のトッププレートが汚れることが低減される。
【００３２】
請求項４記載の発明は、請求項３記載の発明の効果に加えて、素材は外面に露出せず、コート材と素材との境目も、縁取り体によって隙間無く覆われるため、外部からの直接的な刺激を受けず、素材のほつれ等の劣化が防止されると共にコート材の剥離等も防止され、汚れ防止マットの耐久性が向上する。
【００３３】
請求項５記載の発明は、請求項４記載の発明の効果に加えて、縁取り体の部材として綿素材のバイアステープを含むものを用いるため、曲部にも適合しやすく、縫製等により容易に取付けが可能となる。
【００３４】
請求項６記載の発明は、請求項４記載の発明の効果に加えて、縁取り体の部材としてガラス繊維の外面全面にシリコーンコートが施されたバイアステープを含むものを用いるため、曲部にも適合しやすく、縫製等により容易に取付けが可能となると共に、マット全体の耐熱性が向上する。
【００３５】
請求項７記載の発明は、請求項１から請求項６のいずれかに記載の発明の効果に加えて、素材はガラス繊維を含むものであるため、耐熱性、耐衝撃性、柔軟性、コスト性に優れた汚れ防止マットが実現される。
【００３６】
請求項８記載の発明は、請求項１から請求項７のいずれかに記載の発明の効果に加えて、汚れ防止マットの表面は防滑性、耐熱性、撥水性等の特性を持ったものとなるため、より使い勝手の良い汚れ防止マットが実現される。
【００３７】
請求項９記載の発明は、請求項１から請求項８のいずれかに記載の発明の効果に加えて、素材は織布を含むものであるため、表面が平坦に近い状態となり、コート材を形成し易くより使い勝手の良い汚れ防止マットが実現される。
【発明を実施するための最良の形態】
【００３８】
図１はこの発明の第１の実施の形態による電磁調理器用汚れ防止マットの使用状態を示した図であって、従来例で示した図６に対応した図である。
【００３９】
図を参照して、その下方に電磁調理器１３が組み込まれているトッププレート１７の上面と加熱すべき鍋１９の底面との間に汚れ防止マット２１が挟まれている。
【００４０】
図２は、図１で示した汚れ防止マット２１の概略形状を示した拡大斜視図であり、図３は図２で示したＩＩＩ−ＩＩＩラインの拡大断面図である。
【００４１】
これらの図を参照して、汚れ防止マット２１は磁力線の透過性を有するガラス繊維よりなる織布２３（厚さ：０．５ｍｍ）両面に非透水性のシリコーンコート２４ａ及び２４ｂ（各々厚さ：１０μｍ）を全面に施したものを円形に切り出したもので、外周端は全周にわたって、断面がコの字状となるようなバイアステープ２６によって縁取られている。バイアステープ２６は綿素材の細長形状のものであり、縫合糸２７によってシリコーンコート２４ａ、２４ｂ及び織布２３と共に縫製され、端部は継ぎ目２８を縫い合わせることによって接続されている。
【００４２】
上記のように構成した汚れ防止マット２１は、その中心素材として織布２３を用いているため、クッション性を有する汚れ防止マットとなる。又、その両面に非透水性のシリコーンコート２４ａ及び２４ｂを施しているため、これらによって織布２３の目が埋まり、汚れ防止マット２１全体が非透水性を有することとなって、汚れが織布２３内部まで到達することが妨げられる。
【００４３】
つまり、汚れ防止マット２１を、図１に示したように電磁調理器１３のトッププレート１７上に配置し、その上に鍋１９を置いて使用すると、鍋１９の底面に付着した汚れや料理のハネ等がトッププレート１７上に直接付着することが防止される効果に加えて、上述したクッション性のため、使用の際にトッププレート１７や鍋１９を傷つける虞が無く、割れる虞も無いため、取扱いが容易な汚れ防止マットとなる。
【００４４】
又、ガラス繊維よりなる織布２３は、クッション性ばかりでなく、耐熱性や耐衝撃性にも優れた素材であるため、使用の際の信頼性が更に向上し、安価な素材でもあるため、コスト性に優れた汚れ防止マットが実現される。
【００４５】
又、汚れ防止マット２１表面のシリコーンコート２４ａ及び２４ｂは、耐熱性を有するため加熱調理の際にも変性や融解等の危険がなく、鍋１９の底面とトッププレート１７に対して防滑性を発揮するため、より使い勝手が向上する。
【００４６】
更に、シリコーンコート２４ａ及び２４ｂは撥水性を有するため、液体状の汚れが織布２３内部まで浸透する虞が無いばかりでなく、容易に水洗いを行うことが出来るので、汚れ防止マット２１のより衛生的な使用が実現される。
【００４７】
次に、調理の際に鍋から内容物の吹きこぼれが発生した場合について説明する。
【００４８】
図４は、図１の “Ｘ”部分に対応した拡大図であり、鍋１９の内容物４１が吹きこぼれて、吹きこぼれ液４３が流出している状態を示したものである。尚、本図は従来の汚れ防止マットの問題点の１つとして示した図９に対応したものである。
【００４９】
図４を参照して、汚れ防止マット２１は、先に述べたように、外周縁が全周にわたってバイアステープ２６によって縁取られており、このため汚れ防止マット２１の外周縁はバイアステープ２６の厚み分盛り上がった形状となっている。すなわち、バイアステープ２６の一部はシリコーンコート２４ａ及び２４ｂの外周縁に沿う形の堰状の突起体を構成する。この盛り上がりと汚れ防止マット２１本体のクッション性とによって、その上に鍋１９を載置すると、鍋１９の重みとバイアステープ２６の厚みによる盛り上がりとによって、汚れ防止マット２１の端部は若干上方に反るように変形する。つまり、吹きこぼれ液４３が鍋１９を伝って汚れ防止マット２１上に到達した場合も、汚れ防止マット２１の表面は端部から鍋１９の底面との接触部に向かって若干傾斜しているため、外周縁までは到達しにくい。又、外周縁まで到達した場合であっても、一定量以下であれば、吹きこぼれ液４３は、図示するようにバイアステープ２６の堰効果によってせき止められる。このため、汚れ防止マット２１の汚れ防止効果は、突起体に相当するものがない従来のものと比べてより高いものとなる。
【００５０】
この事を実証するために、従来品である汚れ防止マット５１（ガラス板マット）と、本願発明の汚れ防止マット２１（シリコーンコートガラス繊維マット）とのそれぞれについて、吹きこぼれが起こった場合のトッププレート１７の汚れ防止効果の確認実験を行った。まず、直径１８ｃｍのステンレス製片手鍋（満水容量２Ｌ）に水１Ｌとそうめん８０ｇとを入れ、電磁調理器１３の火力を強にして吹きこぼれを発生させ、トッププレート１７の汚れ具合を評価した。次に、直径２０ｃｍのステンレス製両手鍋（満水容量３Ｌ）に水１．５Ｌとそうめん１００ｇを入れ、同じく電磁調理器１３の火力を強にしてふきこぼれを発生され、トッププレート１７の汚れ具合を評価した。いずれの実験においても、汚れ防止マット５１及び汚れ防止マット２１の各々の直径は２０ｃｍであり、対照実験として汚れ防止マットを用いない場合の実験も行った。
【００５１】
このようにして得られた実験結果を示したのが以下の表である。
【００５２】
【表１】
2008010409.tif 000003
上記の表に示した実験結果から明らかなように、いずれの実験においても、汚れ防止マットを用いない場合及び従来の汚れ防止マット５１（ガラス板マット）を用いた場合では、トッププレート１７上に吹きこぼれによる汚れが確認され、本願発明の汚れ防止マット２１（シリコーンコートガラス繊維マット）を用いた場合では、トッププレート１７上には吹きこぼれによる汚れは確認されなかった。
【００５３】
これによって、従来の汚れ防止マット５１は、吹きこぼれによるトッププレート１７への汚れの付着を防止する効果が低いのに対し、本願発明の汚れ防止マット２１は、同汚れの付着を防止する効果が高いことが判明した。
【００５４】
このように、バイアステープ２６で汚れ防止マット２１の外周縁の全周を縁取ると、従来の汚れ防止マット５１に比べ、吹きこぼれによるトッププレート１７への汚れが低減する効果が生じる。又、この効果に加えて、バイアステープ２６は汚れ防止マット２１の端部の補強の役割も果たす。つまり、織布２３のほつれや、シリコーンコート２４ａ及び２４ｂの端部からの剥離等が防止されるため、耐久性の高い汚れ防止マットが実現される。
【００５５】
上記のような綿素材のバイアステープ２６は、曲部に沿うように取付ける縁取りとして適した素材であり、汚れ防止マット２１は織布２３とシリコーンコート２４とで構成されているため、縫製によって容易に取付けることが出来る。
【００５６】
尚、上記第１の実施の形態では、素材としてガラス繊維よりなる織布を用いているが、これに代えてガラス繊維よりなる織布以外の例えば不織布を用いても良く、カーボン繊維やセラミック繊維等、少なくとも磁力透過性及びクッション性を有する他の繊維よりなる織布又は不織布等でも良い。
【００５７】
又、上記第１の実施の形態では、コート材としてシリコーンコート材を用いているが、少なくとも非透水性及及び弾力性を有する他の部材を用いても良い。コート材は磁力線の透過性を有するものが好ましいが、所定厚さ以上では非透過性のものであっても、施工厚さにおいて透過性が確保出来るものであれば、同様に使用出来る。
【００５８】
更に、上記第１の実施の形態では、素材の両面にコート材が形成されているが、コート材は片面のみに形成したものであっても良い。
【００５９】
更に、上記第１の実施の形態では、汚れ防止マットの端部の縁取り部材として綿素材のバイアステープを用いているが、他の部材を用いても良い。
【００６０】
更に、上記第１の実施の形態では、断面がコの字状になるように、汚れ防止マットの端部全周にわたって縁取り部材を取付けているが、コート材が形成された面における外周縁全周にわたって沿うように他の構造や部材よりなる突起体を取付けたものであっても良い。その際、コート材及び突起体が形成された面が上面となるように使用すれば良い。又、縁取り部材等の突起体は取付けないものであっても良い。
【００６１】
更に、上記第１の実施の形態では、汚れ防止マットは円形形状となっているが、円形形状以外の、例えば矩形形状やドーナツ形状等の他の形状としても良い。
【００６２】
更に、上記の第１の実施の形態では、汚れ防止マットの厚さを０．５ｍｍとしているが、加熱効率の観点からは、０．５ｍｍ以下であれば良く、より好ましくは、０．３５ｍｍ以下であれば良い。
【００６３】
次に、この発明の第２の実施の形態による電磁調理器用汚れ防止マットについて説明する。説明に際しては、先の第１の実施の形態によるものとの相違点を主に行う。
【００６４】
先の実施の形態による汚れ防止マットにあっては、その外周端が綿素材によるバイアステープ２６によって縁取られていた。第２の実施の形態にあっては、このバイアステープ２６としてガラス繊維（厚さ：０．２ｍｍ）の一方面（外面側）の全面にシリコーンコート（厚さ：０．０５ｍｍ）を施したものを使用し、これを断面コの字状に折り曲げてシリコーンコート２４ａ，２４ｂ及び織布２３と共に縫製したものである。これによって、第１の実施の形態による汚れ防止マットと同様の効果を奏すると共に、全体の耐熱性が更に向上することになる。
【００６５】
尚、第２の実施の形態による電磁調理器用汚れ防止マットの厚さも、加熱効率の観点から０．５ｍｍ以下であれば良く、より好ましくは、０．３５ｍｍ以下であれば良い。
【００６６】
次に、第２の実施の形態による電磁調理器用汚れ防止マットについて耐熱試験を行った。
【００６７】
（１）試験対象
・本発明品：素材及びバイアステープ（いずれもシリコーンコートされたガラス繊維）
大きさ：直径２０ｃｍ、厚さ０．３ｍｍ
・従来品  ：素材（シリコーンゴム）
大きさ：直径２０ｃｍ、厚さ１．０ｍｍ
（２）試験条件
・使用電磁調理器：松下電器産業株式会社製（品番：ＫＺ−ＭＳ６０Ｂ）
・出力：最大出力３ｋＷ
・加熱条件：８（火力目盛）で６分間継続加熱
・調理器具：口径２４ｃｍのフライパン（ティファール製）
・加熱食材：牛肉１００ｇ
（３）試験結果
・本発明品
加熱中、加熱後共に、特に変化が無かった。
・従来品
加熱中に発火し、劣化した素材により電磁調理器の天板が汚れた。又、全体が大きく変形してしまい、繰り返しの使用に耐えなかった。
【００６８】
尚、上記の第２の実施の形態では、バイアステープとしてガラス繊維の片面にシリコーンコートを施したものを使用しているが、ガラス繊維の両面にシリコーンコートを施しても良い。
【図面の簡単な説明】
【００６９】
【図１】この発明の第１の実施の形態による電磁調理器用汚れ防止マットの使用状態を示した概略断面図である。
【図２】図１で示した電磁調理器用汚れ防止マットの概略構造を示した拡大斜視図である。
【図３】図２で示したＩＩＩ−ＩＩＩラインの拡大断面図である。
【図４】図１における“Ｘ”部分の拡大図に対応した図であり、鍋から吹きこぼれが発生した状態を示した概略図である。
【図５】電磁調理器を組み込んだ一般の調理用加熱装置において、従来の電磁調理器用汚れ防止マットを使用した状態の外観形状を示した平面図である。
【図６】図５で示したＶＩ−ＶＩラインに対応した図であって、電磁調理器の作動原理を模式的に示した断面図である。
【図７】図６で示した従来の電磁調理器用汚れ防止マットの概略構造を示した拡大斜視図である。
【図８】図７で示したＶＩＩＩ−ＶＩＩＩラインの拡大断面図である。
【図９】図６における“Ｙ”部分の拡大図に対応した図であり、鍋から吹きこぼれが発生した状態を示した概略図である。
【符号の説明】
【００７０】
１３…電磁調理器
１５…磁力線
１７…トッププレート
１９…鍋
２１…汚れ防止マット
２３…織布
２４…シリコーンコート
２６…バイアステープ
尚、各図中同一符号は同一又は相当部分を示す。
【図１】
2008010409.tif 000004
【図２】
2008010409.tif 000005
【図３】
2008010409.tif 000006
【図４】
2008010409.tif 000007
【図５】
2008010409.tif 000008
【図６】
2008010409.tif 000009
【図７】
2008010409.tif 000010
【図８】
2008010409.tif 000011
【図９】
2008010409.tif 000012